(57)【要約】【課題】治具へのラベル装着が簡便で、ラベルを装着する容器に対し、正確に規定された位置へラベルを装着でき、ラベル装着の効率を上げ、装着後の手直しの必要がない治具を提供すること。【解決手段】少なくとも下記Ａ部材、Ｂ部材、Ｃ部材、Ｄ部材からなることを特徴とするストレッチラベル装着治具。  Ａ部材；容器を通過せしめることが可能に形成された部材であって、Ｂ部材に追従し、筒状ストレッチラベルをラベル内部より密着保持する部材。   Ｂ部材；容器を通過せしめることが可能に形成された部材であって、前記Ａ部材をストレッチラベルの断面径方向に収縮及び拡張させる部材。   Ｃ部材；容器の保持部材であって、ラベルを通過せしめることが可能な部材。  Ｄ部材；前記Ｃ部材の台座であって、Ｃ部材の高さ調節手段を有する部材。【選択図】図１
2007238167.tif 000002
【特許請求の範囲】
【請求項１】
少なくとも下記Ａ部材、Ｂ部材、Ｃ部材、Ｄ部材からなることを特徴とするストレッチラベル装着治具。
Ａ部材；容器を通過せしめることが可能に形成された部材であって、Ｂ部材に追従し、筒状ストレッチラベルをラベル内部より密着保持する部材。 
Ｂ部材；容器を通過せしめることが可能に形成された部材であって、前記Ａ部材をストレッチラベルの断面径方向に収縮及び拡張させる部材。 
Ｃ部材；容器の保持部材であって、ラベルを通過せしめることが可能な部材。
Ｄ部材；前記Ｃ部材の台座であって、Ｃ部材の高さ調節手段を有する部材。
【請求項２】
Ａ部材の内周とＢ部材の外周面又は、Ａ部材の外周とＢ部材の内周面が固定されていることを特徴とする請求項１に記載のストレッチラベル装着治具。
【請求項３】
Ａ部材及びＢ部材は、ともに筒状形状で、少なくともその１部が重なって、巻回状態に収縮可能であり、かつ復帰することにより拡張可能であることを特徴とする請求項１又は２に記載のストレッチラベル装着治具。
【請求項４】
Ａ部材の外周に、少なくとも１ヶ所以上、ストレッチラベルよりも厚みのある、ストレッチラベルの位置決めガイドを有していることを特徴とする請求項１乃至３のいずれかに記載のストレッチラベル装着治具。
【請求項５】
Ｃ部材が、容器よりも外径が小さく、かつ、Ａ部材とＢ部材からなるアダプターを通過させることが可能であることを特徴とする請求項１乃至４のいずれかに記載のストレッチラベル装着治具。
【請求項６】
Ｄ部材が、容器及びＡ部材とＢ部材からなるアダプターの内径よりも外径が大きいことを特徴とする請求項１乃至５のいずれかに記載のストレッチラベル装着治具。
【請求項７】
Ｄ部材が、少なくともＣ部材よりも重量が重いことを特徴とする、請求項１乃至６のいずれかに記載のストレッチラベル装着治具。
【請求項８】
Ｂ部材が、１ｋｇｆ〜１００ｋｇｆ以内の力で、断面径方向に拡張又は収縮が可能であることを特徴とする請求項１乃至７のいずれかに記載のストレッチラベル装着治具。
【請求項９】
Ｃ部材の上端部の形状が、容器の底部形状とは逆の凹凸形状を有していることを特徴とする請求項１乃至８のいずれかに記載のストレッチラベル装着治具。
【請求項１０】
容器が円柱状であることを特徴とする請求項１乃至９のいずれかに記載のストレッチラベル装着治具。
【請求項１１】
ストレッチラベルが円筒状であることを特徴とする請求項１乃至１０のいずれかに記載のストレッチラベル装着治具。
【請求項１２】
Ｂ部材の下端部に、外側へラッパ状の広がりを設けていることを特徴とする請求項１乃至１１のいずれかに記載のストレッチラベル装着治具。
【発明の詳細な説明】
【技術分野】
【０００１】
本発明は、トナー、薬品、化粧品、食料品等の粉体が充填される粉体容器の外面（表面）にラベルを装着するための治具に関する。
【背景技術】
【０００２】
従来、粉体容器の１つの例であるトナー容器には熱縮を利用したシュリンクでラベルが貼られていた。このラベルの貼着によって、トナー容器に充填されているトナーが、例えば、シアン、マゼンタ、イエロー、ブラックなどのいずれかであるかが外部からでも容易に識別することができる。
そして、これらラベルの容器への貼着は、トナーを容器に充填する以前に行なっていたのでトナー本体への熱への影響は考える必要はなかった。
【０００３】
しかし、最近ではトナーを容器に充填した状態その容器外面にラベルを貼る必要性がある場合が生じ、その場合はトナー本体へ熱がかかるシュリンク方式はトナーを変質させることから好ましくなく、また、熱をかけることに伴う大きな設備が必要であり、地球温暖化に影響を及ぼす二酸化炭素の発生を増やすことにもなる。そのため、近年では熱を必要とせずにラベルの弾性力のみで装着が可能なストレッチラベルが用いられるようになっている。このような傾向はトナー容器に限らず、その他の粉体容器においても同様に言えることである。 
【０００４】
しかしながら、ラベルの弾性力のみで装着させるには、そのための治具を用いて人の手で行うか、機械によって行う必要があり、そのために、その治具へラベルを装着しなければならないが、その装着が必ずしも簡便に行えないため、装着の効率を落としていることと、容器と同程度の長さを有するラベルを装着する場合、装着位置のバラツキが生じ、結果、装着位置の手直しが発生するという不具合が生じている。
【０００５】
例えば、特許文献１では、ストレッチラベルを容器の所定位置に、簡易にセットできるラベル装着治具が開示されているが、この治具では、ラベル装着部分の形状をテーパー形状にし、尚かつスリットを入れることで、装着を容易にしているが、この方法では、治具を一旦置いてから、ラベルを両手で装着する必要があり、装着に時間と手間が掛かってしまう。
また、容器と同等程度の長さを有するラベルを装着する場合、一旦、容器を持ち上げて、装着位置までラベルを移動させて、装着位置を確認した上で治具を引き抜く必要があり、装着効率が低く、また、ラベルの装着位置のバラツキを生み、手直しを行う必要が発生するという不具合が生じる。
【０００６】
【特許文献１】特開２００４−９１０５１号公報
【発明の開示】
【発明が解決しようとする課題】
【０００７】
従って、上記従来技術に鑑みて、本発明では、治具へのラベル装着が簡便で、ラベルを装着する容器に対し、正確に規定された位置へラベルを装着でき、ラベル装着の効率を上げ、装着後の手直しの必要がない治具を提供することを目的とする。
【課題を解決するための手段】
【０００８】
上記課題は、本発明の（１）〜（１２）によって解決される。
即ち、（１）少なくとも下記Ａ部材、Ｂ部材、Ｃ部材、Ｄ部材からなることを特徴とするストレッチラベル装着治具。
Ａ部材；容器を通過せしめることが可能に形成された部材であって、Ｂ部材に追従し、筒状ストレッチラベルをラベル内部より密着保持する部材。 
Ｂ部材；容器を通過せしめることが可能に形成された部材であって、前記Ａ部材をストレッチラベルの断面径方向に収縮及び拡張させる部材。 
Ｃ部材；容器の保持部材であって、ラベルを通過せしめることが可能な部材。
Ｄ部材；前記Ｃ部材の台座であって、Ｃ部材の高さ調節手段を有する部材。
（２）Ａ部材の内周とＢ部材の外周面又は、Ａ部材の外周とＢ部材の内周面が固定されていることを特徴とする上記（１）に記載のストレッチラベル装着治具。
（３）Ａ部材及びＢ部材は、ともに筒状形状で、少なくともその１部が重なって、巻回状態に収縮可能であり、かつ復帰することにより拡張可能であることを特徴とする上記（１）又は（２）に記載のストレッチラベル装着治具。
（４）  Ａ部材の外周に、少なくとも１ヶ所以上、ストレッチラベルよりも厚みのある、ストレッチラベルの位置決めガイドを有していることを特徴とする上記（１）乃至（３）のいずれかに記載のストレッチラベル装着治具。
（５）  Ｃ部材が、容器よりも外径が小さく、かつ、Ａ部材とＢ部材からなるアダプターを通過させることが可能であることを特徴とする上記（１）乃至（４）のいずれかに記載のストレッチラベル装着治具。
（６）  Ｄ部材が、容器及びＡ部材とＢ部材からなるアダプターの内径よりも外径が大きいことを特徴とする上記（１）乃至（５）のいずれかに記載のストレッチラベル装着治具。
（７）  Ｄ部材が、少なくともＣ部材よりも重量が重いことを特徴とする、上記（１）乃至（６）のいずれかに記載のストレッチラベル装着治具。
（８）  Ｂ部材が、１ｋｇｆ〜１００ｋｇｆ以内の力で、断面径方向に拡張又は収縮が可能であることを特徴とする上記（１）乃至（７）のいずれかに記載のストレッチラベル装着治具。
（９）  Ｃ部材の上端部の形状が、容器の底部形状とは逆の凹凸形状を有していることを特徴とする、上記（１）乃至（８）のいずれかに記載のストレッチラベル装着治具。
（１０）  容器が円柱状であることを特徴とする上記（１）乃至（９）のいずれかに記載のストレッチラベル装着治具。
（１１）  ストレッチラベルが円筒状であることを特徴とする、上記（１）乃至（１０）のいずれかに記載のストレッチラベル装着治具。
（１２）  Ｂ部材の下端部に、外側へラッパ状の広がりを設けていることを特徴とする上記（１）乃至（１１）のいずれかに記載のストレッチラベル装着治具。
【発明の効果】
【０００９】
以下の詳細かつ具体的な説明から明らかなように、本発明により、ストレッチラベル自体が、容易にストレッチラベル装着装置へセットできるため、装着作業の効率を上げ、容易にストレッチラベルを容器に装着できるばかりでなく、ストレッチラベルの装着位置も、規定された位置へ正確に装着が可能となるという極めて優れた効果を奏するものである。
【発明を実施するための最良の形態】
【００１０】
以下、本発明ついてより詳細に説明する。
上記のように、本発明のラベル装着治具は、図１に示される、Ａ部材（ストレッチラベルを内部より保持する機能を有する部材）と、Ｂ部材（断面径方向に拡張又は収縮可能で、Ａ部材にストレッチラベルを固定、保持する機能を有する部材）と、図４に示されるＣ部材（容器を保持する台座機能を有する部材）と、Ｄ部材（Ｃ部材の高さを調整する機能を有する台座部材）との組み合わせから構成される。
【００１１】
Ａ部材は筒状を呈しているが、断面径は固定されておらず、Ｂ部材の拡張、収縮に追従するようになっている。また、任意の位置にストレッチラベルの位置を固定するよう、位置決め用のガイドが設けられている。この位置決め用のガイドは、ガイド自体をストレッチラベルが乗り越えないために、ストレッチラベルの厚みより厚く設けることが好ましい。これにより、ストレッチラベルを適正な位置に、簡便に装着することが可能となる。
【００１２】
Ｂ部材は筒状を呈するが、断面径方向に力を加えたとき、例えば、巻回状態となって、径方向に収縮可能で、かつ元の形状に復帰することにより拡張可能な弾性部材からなるのが好ましい。また、元の形状がすでに巻回状態を形成していても良いが、巻回状態といっても、容器を貫通できるようにするためその中央部には巻回部は設けない。
即ち、本発明のＣ部材は、筒状を構成する２つの周方向端部が、径方向の押圧力により相対的に反対方向に移動してその直径を短縮でき、また押圧力の解除によりまた元の状態に復帰することが可能であればよい。
このＢ部材は、１ｋｇｆ〜１００ｋｇｆの力で断面径方向に収縮可能に設けるが、好ましくは、人の握力でも容易に収縮が可能で、一定の硬度を維持するためにも、１０ｋｇｆ〜３０ｋｇｆで収縮できる硬度が好ましい。基本的には渦巻き状に収縮できる程度の硬性を有しており、硬性保持という耐久性の面から、ステンレスなどの材質が好ましいが、ステンレスに限らず、巻回状態に収縮が可能な材質である、プラスチックや金属などの材質でも構わない。
【００１３】
また、Ｂ部材の伸縮性、硬性を維持するためと、ボトルへの挿入をし易くするために、コイルのＢ部材の下端部には、外側へ向かってラッパ状の広がりを設けていてもよい。
【００１４】
Ｃ部材は円筒状を呈しており、ストレッチラベルを装着しようとしている容器より外径が小さく、このためＡ部材とＢ部材をあわせたアダプターはＣ部材にまで移動可能であり、これにより、ストレッチラベルを容器下部にも貼着可能となる。  また、その高さは、Ａ部材とＢ部材を合わせた高さの半分程度が好ましいが、Ｄ部材との構成で、ストレッチラベルの装着位置を調整できるため、Ａ部材とＢ部材を合わせた高さより小さければよい。さらに、Ｃ部材は、容器を保持する台座として機能するものであり、容器を安定して保持するために、容器底部の形状と逆形状に形成することが好ましい。
【００１５】
Ｄ部材は円筒状を有しているが、形状はこれに限らず、ストレッチラベルを装着しようとしている容器より外径又は、面積が大きく、Ａ部材とＢ部材を合わせたアダプターが通過しない大きさであればよく、その重さは少なくともＣ部材よりも重く、これによりストレッチラベル装着時の安定を保つことができる。また、Ｄ部材はＣ部材の高さ位置を調整できるよう、ネジ又は、それに変わる支柱を有している。この結果ラベルの貼着位置の変更が容易にできる効果が得られる。
【００１６】
本発明の治具のうち、Ａ部材の外面はラベルに接し、内面が容器に接しながら移動するので、Ｂ部材、Ｃ部材、Ｄ部材に比べて、損傷あるいは劣化しやすい。そこで、治具を分解することでＡ部材のみの交換が容易となる。 
【００１７】
本発明においては、Ａ部材が伸縮性を有するものであればより好ましく、これによりストレッチラベル装着時の、Ａ部材の損傷、劣化をさらに減らすことができる。
また、Ａ部材がＰＥＴでｔ＝１０〜２００μｍであればより好ましく、これによりストレッチラベル装着時の、Ａ部材の損傷、劣化をさらに減らすことができる。
また、Ａ部材の内周とＢ部材の外周面又は、Ａ部材の外周とＢ部材の内周面は、両面テープなどで固定しても良いが、これに限定されず、ボンドなどの固定剤でもよく、Ａ部材の内周面に装着容器を通過させるため、Ａ部材の外周面と、Ｂ部材の内周面を固定させている方が、装着容器に傷が付きにくくなり、好ましい。
さらに、Ａ部材とＢ部材をともに巻回状態になるように形成し、両者の筒状高さ方向端部を互いに重なり合わせてもよい。この場合、両者の端部は固着しても良いが、Ａ部材が外方に対し付勢力を有する場合、これをＢ部材の内周に位置させれば、特に両者は固着しなくとも安定に保持できる。また、Ａ部材とＢ部材とを一体成型しても良い。
【００１８】
本発明の治具を構成するＡ部材、Ｂ部材、Ｃ部材、Ｄ部材はプラスチック、金属などの材質を用いて作られるが、特にＡ部材はプラスチックで作られるのが、装着容器に傷を付けにくく、好ましい。 
【実施例】
【００１９】
次に、治具本体へのストレッチラベルの装着方法を説明する。
（１）最初に、図２に示すように、一方の手で治具（Ａ部材、Ｂ部材で構成された治具本体）をつかみ、両端部が重なり渦巻きを形成させるように収縮させ、もう一方の手により治具の上のＡ部材を覆うようにストレッチラベル（１）をかぶせ、その後、図３に示すように、治具（Ａ部材、Ｂ部材で構成された治具本体）の巻回状態を解放することで、ストレッチラベル（１）を治具に固定する。
（２）その後、図５に示すように、治具（Ａ部材、Ｂ部材で構成された治具本体）に固定されたストレッチラベルラベル（１）を動かないように押さえながら、治具（Ｃ部材、Ｃ部材で構成された台座）に載せたボトル（２）へ挿入し、図６に示すように、部材Ｄへ、部材Ｂが当たるまで挿入する。
（３）その後、図７に示すように、一方の手でボトル（２）の上部を動かないように押さえて、ボトル（２）の下までストレッチラベル（１）がかぶった治具（Ａ部材、Ｂ部材で構成された治具）本体をボトルの下部から引き抜く。 
（４）ボトル固定用の台座（Ｃ部材、Ｃ部材で構成された台座）は、図８に示すように、Ｃ部材の高さを（ｃ１）から、（ｃ２）へ変更することで、ストレッチラベル（１）の、ボトルへの装着位置を（ｅ１）から（ｅ２）へ変更することが可能となり、品種によってラベル位置を変更する場合に置いても、容易に、その装着位置の調整や変更をすることが可能となる。
なお、上記実施例においては、本発明のストレッチラベルのボトル装着を、人手により行う場合を示したが、本発明のストレッチラベルのボトル装着治具を装置に組み込み、機械化することも当然に可能である。
【図面の簡単な説明】
【００２０】
【図１】本発明におけるラベル装着治具の構成図である。
【図２】本発明に係る治具本体へのストラッチラベルの装着方法を示した図である。
【図３】本発明に係る治具本体へのストラッチラベルの装着方法を示した別の図である。
【図４】本発明に係る治具本体へのストラッチラベルの装着方法を示した別の図である。
【図５】本発明に係る治具本体へのストラッチラベルの装着方法を示した別の図である。
【図６】本発明に係る治具本体へのストラッチラベルの装着方法を示した別の図である。
【図７】本発明に係る治具本体へのストラッチラベルの装着方法を示した別の図である。
【図８】本発明に係る治具本体へのストラッチラベルの装着方法を示した別の図である。
【図１】
2007238167.tif 000003
【図２】
2007238167.tif 000004
【図３】
2007238167.tif 000005
【図４】
2007238167.tif 000006
【図５】
2007238167.tif 000007
【図６】
2007238167.tif 000008
【図７】
2007238167.tif 000009
【図８】
2007238167.tif 000010